(57)【特許請求の範囲】
【請求項１】
内側から外側に向けて、反射層（５０）、少なくとも１つハニカム構造（５２）及び航空力学表面を形成する少なくとも１つの音響抵抗構造（５４）を備えるナセルの吸気の吸音処理パネルであって、該パネルは少なくとも１つの第二のパネル（４６）に縁部の位置で接続され、前記の少なくとも１つの第二のパネルと重なり合う縁部の位置に、前記反射層（５０）と航空力学表面を形成する前記音響抵抗構造（５４）との間に挿入された補強材（６０）を備え、該補強材（６０）は、該層（５０）と該構造（５４）との間の応力を確実に吸収し、
該補強材（６０）は、該反射層（５０）の内側面との接触面を提供するする第一部分（６２）と、該音響抵抗構造（５４）の内側面との接触面を提供する第二部分（６４）と、該部分（６２、６４）間の接続及び応力の吸収を確実にする少なくとも１つの壁部（６６）を備える形鋼の形状であり、該第一部分（６２）と該第二部分（６６）の接触面は並行で、且つ前記層（５０、５４）がハニカム構造（５２）により隔てられる場合、前記反射層（５０）と前記音響抵抗構造（５４）間の距離に応じて、ある距離だけ隔てられることを特徴とする吸音処理パネル。
【請求項２】
前記補強材（６０）には前記部分（６２、６４）の間に少なくとも１つのアダプタ（６８）が備えられており、それによって、圧縮応力を確実に吸収することを特徴とする請求項１に記載の吸音処理パネル。
【請求項３】
前記アダプタ（６８）は、各々前記部分（６２、６４）の接触面の位置で開口する中繰り（７４）を備えており、それによって固定手段を通過させることができることを特徴とする請求項２に記載の吸音処理パネル。
【請求項４】
内側から外側に向けて、反射層（５０）、少なくとも１つハニカム構造（５２）及びダクト（４２）の航空力学表面を形成する少なくとも１つの音響抵抗構造（５４）を備える吸音処理パネル（４８）で被覆された少なくとも１つのダクト（４２）を備える航空機ナセルであって、空気取り入れ口は、一部分が前記音響抵抗構造（５４）の外側面に対して固定されているリップ（４６）を形成するパネルによって区画されており、該音響パネルは、前記のリップ（４６）を形成するパネルと重なり合う縁部の位置に、前記反射層（５０）と航空力学表面を形成する前記音響抵抗構造（５４）との間に挿入された補強材（６０）を備え、該補強材（６０）は該層（５０）と該構造（５４）との間の応力を確実に吸収し、
該反射層（５０）の内側面との接触面を提供するする第一部分（６２）と、該音響抵抗構造（５４）の内側面との接触面を提供する第二部分（６４）と、該部分（６２、６４）間の接続及び応力の吸収を確実にする少なくとも１つの壁部（６６）を備える形鋼の形状であり、該第一部分（６２）と該第二部分（６６）の接触面は並行で、且つ前記層（５０、５４）がハニカム構造（５２）により隔てられる場合、前記反射層（５０）と前記音響抵抗構造（５４）間の距離に応じて、ある距離だけ隔てられることを特徴とする航空機ナセル。
【請求項５】
前記補強材（６０）には前記部分（６２、６４）の間に少なくとも１つのアダプタ（６８）が備えられており、それによって、圧縮応力を確実に吸収することを特徴とする請求項４に記載の航空機ナセル。
【請求項６】
前記アダプタ（６８）は、各々前記部分（６２、６４）の接触面の位置で開口する中繰り（７４）を備えており、それによって固定手段を通過させることができることを特徴とする請求項５に記載の航空機ナセル。
【請求項７】
前記吸音処理パネルは、前記リップ（４６）を形成するパネルを収容するための小さな段壁（７２）を備えることを特徴とする請求項４〜６のいずれか１つに記載の航空機ナセル。
【請求項８】
前記補強材（６０）は閉じた断面を有し、前記ダクト（４２）を被覆する音響パネルの縁部の位置及びリップ（４６）を被覆する音響パネルの縁部の位置に配置され、前方フレーム（５８）は該補強材（６０）に固定されていることを特徴とする請求項４〜７のいずれか１つに記載の航空機ナセル。
【発明の詳細な説明】
【技術分野】
【０００１】
本発明は、少なくとも１つの別のパネルとの接続を確実にするための補強材が組み込まれた吸音処理パネルに関するものであり、ナセルの空気取り入れ口の音響平面における未処理の面積を減少させることを目的とする。
【背景技術】
【０００２】
図１に示した一実施態様によると、ナセル１０は、少なくとも１つのダクト１２と、周縁壁部１４と、前方にはそのダクト１２と周縁壁部１４を接続するリップ１６によって区画された空気取り入れ口を備える。
【０００３】
公知のように、ダクト１２は、内側から外側に向けて、反射層２０、少なくとも１つハニカム構造２２及びダクト１２の航空力学表面を形成する、少なくとも１つの音響抵抗構造２４を有する吸音処理被覆材またはパネル１８を備える。
【０００４】
リップ１６もまた吸音処理被覆材を備えることが好ましい。
【０００５】
ナセルの構造を補強するために、前方フレーム２６はダクト１２及び周縁壁部１４を接続し、リップ１６はその前方フレーム２６に固定されている。
【０００６】
一実施態様によると、リップ１６を形成するパネル及び周縁壁部１４を形成するパネル間を確実に接続するために、上記パネルの縁部は、前方フレーム２６の折り返し部２８に対して張りつけられ、適切ないずれかの手段で固定されている。
【０００７】
図２に詳細に図示した一実施態様によると、ダクト１２とリップ１６との接合区域の位置に、前方フレーム２６は折り返し部３０を備えており、その折り返し部３０に対してリップ１６を形成する壁部が張りついている。この位置で、反射層２０及び音響抵抗構造２４のサイズは、ハニカム構造２２のサイズより大きく、従って、1点に集まり、互いに張りつき、折り返し部３０を越えて延びているリップの内側表面に対して固定される。補足として、補強材３２を備え、それによって、一方では、貼り合わされた２つの層２２及び２４と、もう一方では前方フレームとの間で確実に接続する。
【０００８】
この形状は、下記の理由によって、満足できるものではない。
【０００９】
反射層及び音響抵抗構造を通過する応力は均衡ではないので、これによって、リップとの接合区域の位置で、折り返し部が広がり、被覆材の各部分は質量の利点の理由から複合材であるため、層間剥離の問題が生じる。
【００１０】
別の欠点によると、音響被覆材の末端の区域は、その位置に反射層と音響抵抗構造が集中し、音響平面では処理されていない。したがって、この区域は、一方ではリップと前方フレーム、もう一方ではリップと２つの貼り合わされた層２２及び２４の重なりの区域と一致し、それによって、音響平面上の未処理の大きな区域Ｌ０が生じる。
【発明の概要】
【発明が解決しようとする課題】
【００１１】
本発明は、音響平面上の未処理の区域を減少させ、別のパネルとの接合区域の位置でのパネルの様々な層間の応力を良好に吸収することができる改良された吸音処理パネルを提案して、従来技術の欠点を解消することを目的とする。
【課題を解決するための手段】
【００１２】
このため、本発明は、内側から外側に向けて、反射層、少なくとも１つハニカム構造及び航空力学表面を形成する少なくとも１つの音響抵抗構造を備える吸音処理パネルであって、該パネルは少なくとも１つの第二のパネルに縁部の位置で接続され、上記の少なくとも１つの第二のパネルと重なり合う縁部の位置に、反射層と航空力学表面を形成する音響抵抗構造との間に挿入された補強材を備え、該補強材は該層と該構造との間の応力を確実に吸収することを特徴とするパネルを目的とする。
【００１３】
本発明のその他の特徴及び利点は、下記の添付図面を参照しておこなう説明から明らかになるであろう。ただし、これらの説明は単に例として示したものに過ぎない。
【図面の簡単な説明】
【００１４】
【図１】図１は、従来技術によるナセルの前方上部を図示した断面図である。
【図２】図２は、図１のナセルのリップ、前方フレーム及びダクト間の接合区域を詳細に図示した断面図である。
【図３】図３は、本発明によるナセルの前方上部を図示した断面図である。
【図４】図４は、図３のナセルのリップ、前方フレーム及びダクト間の接合区域を詳細に図示した断面図である。
【図５】図５は、本発明による音響パネル補強材の斜視図である。
【図６】図６は、本発明による補強装置の一実施態様を図示している。
【発明を実施するための形態】
【００１５】
図３には、ナセル４０の前方上部が示されている。
【００１６】
ナセルは、公知のように、少なくとも１つのダクト４２、周縁壁部４４、及び、前方にそのダクト４２と周縁壁部４４を接続するリップ４６によって区画された空気取り入れ口を備える。
【００１７】
ダクト４２は、内側から外側に向けて、反射層５０、少なくとも１つハニカム構造５２及びダクト５２の航空力学表面を形成する、少なくとも１つの音響抵抗構造５４を備える吸音処理被覆材またはパネル４８を備える。
【００１８】
リップ４６は、また吸音処理被覆材５６を備えることが好ましい。
【００１９】
ナセルの構造を補強するために、前方フレーム５８は、ダクト４２、周縁壁部４４及びリップ４６を接続する。
【００２０】
リップ４６を形成するパネル、周縁壁部４４を形成するパネル及び前方フレーム５８間の接続は、詳細には記載していない。
【００２１】
本発明は、特に、前方フレーム５８、リップ４６を形成するパネル及びダクト４２を形成するパネル間の接合区域に関するものである。この区域の位置で、吸音処理パネル４８の縁部は少なくとも１つの別のパネルに固定されており、その別のパネルはリップ４６を形成及び／または前方フレーム５８を形成し、少なくとも１つの該パネルは上記音響パネルの少なくとも１つの表面に対して張りついている。
【００２２】
本発明によると、音響パネル４８は、少なくとも１つの別のパネルと重なり合う縁部の位置に、反射層５０とダクト４２の航空力学表面を形成する音響抵抗構造５４との間に挿入され、２つの層５０及び５４間の応力を確実に吸収する補強材６０を備える。
【００２３】
この補強材６０は、反射層５０の内側面との接触面を提供する第一の部分６２と、音響抵抗構造５４の内側面との接触面を提供する第二の部分６４と、部分６２及び６４間の接続及び応力の吸収を確実にする少なくとも１つの壁部６６を備える形鋼の形状である。
【００２４】
好ましくは、壁部６６によって、パネルの端部での反射層５０及び音響抵抗構造５４間の区域の気密性を確保することができる。
【００２５】
反射層５０と音響抵抗構造５４がハニカム構造５２によって離されているとき、部分６２及び６４の接触面はほぼ平行であり、その層５０及び５４間の間隔にほぼ一致する間隔をあけている。
【００２６】
好ましくは、部分６２及び６４の間に少なくとも１つのアダプタ６８が備えられており、それによって、圧縮応力を確実に吸収する。別の実施態様によると、上記の少なくとも１つのアダプタ６８は、図６に示したように上記形鋼とは異なるか、または、図５に図示したような形鋼で一続きに作成される。
【００２７】
別の実施態様によると、補強材６０は、閉じた断面、例えば、中空の、または、充填された長方形の断面、あるいは、中空の、または、充填された正方形の断面か、あるいは、開いた断面、例えば、Ｃ字形の断面を有する。
【００２８】
補強材６０は、その形状に応じて、金属製、複合材料製または樹脂製であることがある。
【００２９】
本発明によると、１つまたは複数のハニカム構造、及び、場合によっては１つまたは複数の挿入される音響抵抗構造のサイズは、補強材６０を反射層５０と外側の音響抵抗構造５４との間に収容できるように決定される。
【００３０】
図４に図示したように、ダクト４２は吸音処理パネルを備え、その音響抵抗構造５４は該ダクト４２の航空力学表面を形成する。
【００３１】
リップ４６を形成するパネルは、前方フレーム５８の折り返し部７０に固定されており、該折り返し部７０を越えて延びており、それによって、ダクト４２を形成する吸音処理パネル４８に重なる。リップ４６を形成するパネル４６は、音響抵抗構造５４の外側面に対して固定されており、その音響抵抗構造は上記のリップ４６を形成するパネルを収容するための小さい段壁７２を備えており、そのため、リップ４６及びダクト４２の外側面は互いにこの接合区域の両側の延長部にある。
【００３２】
補強材６０は、リップと音響パネルの重なった区域と垂直に配置されており、したがって、従来技術に比較すると、音響平面上の未処理の区域Ｌ１を縮小することができる。
【００３３】
別の一実施態様によると、補強材６０は閉じた断面を有し、ダクト４２を被覆する音響パネルの縁部の位置及びリップ４６を被覆する音響パネルの縁部の位置に配置されることがあり、前方フレーム５８は該補強材に固定されている。
【００３４】
この後者の実施態様によって、音響平面上の処理面積を最適化することができる。
【００３５】
本発明のまた別の実施態様によると、アダプタ６８は各々部分６２及び６４の接触面の位置で開口する中繰り７４を備えており、それによって軸のような固定手段を通過させることができる。
【００３６】
場合に応じて、補強材は、一列のアダプタ、または、特に補強材が閉じた断面を有し、両端に配置された２つの音響パネルを補強するために使用されるとき二列のアダプタを備えることがある。
【符号の説明】
【００３７】
４２    ダクト
４４    周縁壁部
４６    リップ
４８    吸音処理パネル
５０    反射層
５２    ハニカム構造
５４    音響抵抗構造
６０    補強材
【図１】
0005459798.tif 000002
【図２】
0005459798.tif 000003
【図３】
0005459798.tif 000004
【図４】
0005459798.tif 000005
【図５】
0005459798.tif 000006
【図６】
0005459798.tif 000007